(57)【要約】      （修正有）【課題】きわめて容易に形成できると共に、清掃対象に合わせて自在に変形して汚れを容易に落とすことができるたわし及びたわし連結体を提供する。【解決手段】一端部側から折り返してトーラス状（いわゆるドーナツ状）に巻いた筒状ニット３によって形成してあり、筒状ニットの他端部３Ｂを、筒状ニットが形成するトーラス面の緯線５に沿うように固定してあり、筒状ニットは、ポリプロピレン繊維又はアクリル繊維によって編成されている。手でつかんだときにある程度の保形力があるので清掃に適しており、かつ、中央の貫通孔１Ａに指をかけて引っ張ることにより、自在に変形させることができる。【選択図】図３
0003195980.tif 000002
【実用新案登録請求の範囲】
【請求項１】
一端部側から折り返してトーラス状に巻いた筒状ニットによって形成してあることを特徴とするたわし。
【請求項２】
前記筒状ニットの他端部を、該筒状ニットが形成するトーラス面の緯線に沿うように固定してある請求項１に記載のたわし。
【請求項３】
前記筒状ニットが、ポリプロピレン繊維又はアクリル繊維によって編成されている請求項１または２に記載のたわし。
【請求項４】
請求項１〜請求項３のいずれかに記載のたわしの形成に用いられる筒状ニットと、この筒状ニットに続いて水溶性の繊維を用いて筒状に編成してなる繋ぎ部とを交互に形成したことを特徴とするたわし連結体。
【考案の詳細な説明】
【技術分野】
【０００１】
本考案は、たわし及びたわし連結体に関するものであり、とりわけ容易に形成可能であり運搬や保管が容易であるたわし及びたわし連結体に関する。
【背景技術】
【０００２】
従来、例えば台所のシンク、食器洗い機、浴槽、浴室など、家庭内の様々な場所において清掃用の繊維を束ねて略Ｕ字状に湾曲させてなるたわしが用いられている。
【０００３】
また、特許文献１に記載のスポンジたわしのように合成樹脂からなるスポンジをたわしとして用いるものもある。
【先行技術文献】
【特許文献】
【０００４】
【特許文献１】特開２００８−２８４２０８号公報
【考案の概要】
【考案が解決しようとする課題】
【０００５】
しかしながら、従来のたわしはいずれも相応の大きさがあるので、蛇口の隙間や裏側の壁との隙間などの狭い場所の清掃が困難であり、かつ、保管時にもそれなりのスペースを必要とする。また、前記スポンジはその発泡部の間にゴミなどが進入して目詰まりを起こすこともある。
【０００６】
本考案は上述の事柄を考慮に入れてなされたものであり、きわめて容易に形成できると共に、清掃対象に合わせて自在に変形して汚れを容易に落とすことができるたわし及びたわし連結体を提供することを課題とする。
【課題を解決するための手段】
【０００７】
前記課題を解決するため、第１考案は、一端部側から折り返してトーラス状に巻いた筒状ニットによって形成してあることを特徴とするたわしを提供する（請求項１）。
【０００８】
前記構成のたわしは基本的に筒状ニットのみによって構成されるので、編成機を用いてきわめて容易に形成することができ、その製造コストを可及的に引き下げることができる。筒状ニットは保管時には折りたたんで小さく収納し、搬送時にも場所をとることがない一方、容易にトーラス状に巻くことができ清掃に適した大きさや形になる。
【０００９】
筒状ニットをトーラス状に巻いた形状にしてなるたわしは清掃対象に合わせて自在に変形可能であるので、例えば狭い蛇口の裏側などの清掃にも好適である。さらに、たわしをトーラス状から展開可能にしてあれば、汚れが付着したたわしを展開して汚れを落とすことができるので、目詰まりを起こしにくく、展開によって水切りも容易であるからカビなどの菌の繁殖を防止することも可能となる。
【００１０】
前記筒状ニットの他端部を、該筒状ニットが形成するトーラス面の緯線に沿うように固定してある場合（請求項２）には、筒状ニットの解れを防止することができ、たわしの耐久性を引き上げることができる。他端部の固定は例えば溶着、接着剤による接着、縫着など種々の方法で行うことができる。
【００１１】
前記筒状ニットが、ポリプロピレン繊維又はアクリル繊維によって編成されている場合（請求項３）には、十分な清掃力を得ることができる。
【００１２】
なお、前記筒状ニットを構成する素材にたとえばポリプロピレン繊維やアクリル繊維等の合成樹脂繊維を用いることにより、十分な清掃力を得るようにしてもよいが、そのほかの合成樹脂や、アルミニウム、ステンレス、銅等の金属を例えば延伸して繊維状にしたものを用いることも可能である。また、合成樹脂等に椰子繊維などの天然繊維を練り合わせて用いても良い。さらに、強力な磨き効果を付与するために、筒状ニット複数の溶液に浸漬して強度と粘着性を持たせた研磨用に用いてもよい。
【００１３】
第２考案は、前記たわしの形成に用いられる筒状ニットと、この筒状ニットに続いて水溶性の繊維を用いて筒状に編成してなる繋ぎ部とを交互に形成したことを特徴とするたわし連結体を提供する。（請求項４）
【００１４】
前記たわし連結体は繋ぎ部が水溶性の繊維を用いて編成されているので、この繋ぎ部は例えば水への浸漬によって除去することができ、たわしの分離に伴う糸くず（繊維くず）の発生を防止することができる。
【００１５】
加えて、前記たわし連結体の製造時には、たわしを構成する素材（繊維等）と繋ぎ部を構成する水溶性の繊維を交互に編成するだけで個々のたわしに容易に分離可能な状態で形成することができるので製造コストを可及的に抑えることができる。また、保管時や運搬時には一連のたわしを折りたたんで容易に管理できる。
【考案の効果】
【００１６】
請求項１〜３に係るたわしは、安価にて製造可能でありながら、清掃に適した形状に自在に変形可能であり、目詰まりを起こしにくく高い清掃力を長期にわたって保つことができる。
【００１７】
請求項４に係るたわし連結体は、安価にて複数の筒状ニットを連結させて形成でき、管理が容易である。また、個々の筒状ニットを容易に分離することができる。
【図面の簡単な説明】
【００１８】
【図１】本考案の実施形態に係るたわし連結体の斜視図である。
【図２】前記たわし連結体から分離されたたわしを形成する過程を説明する図である。
【図３】前記たわしの斜視図である。
【図４】前記たわしの使用例を示す図である。
【考案を実施するための形態】
【００１９】
以下、図１〜図４を用いて、本考案の実施形態に係るたわし１及びたわし連結体２の構成および動作を説明する。本実施形態のたわしは清掃対象として例えば台所のシンクや食器洗い機、浴槽や浴室、車やバイクなど家庭内外の様々な場所を清掃するものである。
【００２０】
図１に示すたわし連結体２は、合成樹脂繊維を筒状に編成してなる筒状ニット３と、この筒状ニット３に続いて水溶性の繊維を用いて筒状に編成してなる繋ぎ部４とを交互に形成したものである。このたわし連結体２は、例えば折り畳んで保管することができる。筒状ニット３を構成する合成樹脂繊維は例えば銀を含むアクリル繊維であり、これによって十分な清掃力を得ると同時に半永久的な抗菌性を備えることができる。
【００２１】
図２に示すように前記たわし連結体２の繋ぎ部４の部分を除去して筒状ネット３を分離することができ、繋ぎ部４の除去は、矢印Ｘに示すように、前記筒状ネット３の両端部３Ａ，３Ｂに編成された繋ぎ部４を水に溶かせるだけで簡単に行うことができる。そして、繋ぎ部４を水に溶かせることにより、糸くずの発生を防止することができる。
【００２２】
図３に示すように、分離された筒状ネット３は、一端部側から折り返してトーラス状（いわゆるドーナッツ状）に巻くことにより、たわし１となる。また、筒状ネット３の他端部３Ｂは筒状ネット３が形成するトーラス面の緯線５に沿うように縫合することにより、この他端部３Ｂからたわし１が意図せずに解れたり展開したりすることを防止することができる。このように構成されたたわし１は使用者が手でつかんだときにある程度の保形力があるので清掃に適しており、かつ、中央の貫通孔１Ａに指をかけて引っ張ることにより、自在に変形させることができる。
【００２３】
図４に示すように、変形させたたわし１は蛇口６の隙間などの狭い部分を清掃することが容易となり、とりわけ台所などの屋内の清掃に適している。また、自在に変形できることにより、絞って水切りが容易となり衛生的である。
【００２４】
上述の実施形態は本考案を説明するための単なる一例にすぎず、種々の変形が可能である。例えば筒状ニット３を構成する素材はアクリル繊維のみならず、ポリプロピレン繊維等の他の樹脂を用いた繊維や、アルミニウム、ステンレス、銅等の金属を例えば延伸して繊維状にしたものの他、合成繊維等に椰子繊維などの天然繊維を練り合わせて用いても良い。加えて、強力な磨き効果を付与するために、筒状ニット複数の溶液に浸漬して強度と粘着性を持たせて研磨用に用いてもよい。
【００２５】
また、筒状ニット３の他端部３Ｂを前記緯線５に沿って固定する方法は縫合のみならず、接着剤による接着や溶着であってもよい。
【００２６】
また、筒状ニット３の他端部３Ｂの固定を敢えて行わないことにより、必要が生じたときに筒状ニット３の元の形に戻して使用可能としてもよい。但し、この場合、筒状ニット３を、一端部３Ａ，他端部３Ｂからの解れが生じ難くなるような編成法で形成することが好ましい。
【符号の説明】
【００２７】
１  たわし
２  たわし連結体
３  筒状ニット
３Ａ  一端部
３Ｂ  他端部
４  繋ぎ部
５  緯線
【図１】
0003195980.tif 000003
【図２】
0003195980.tif 000004
【図３】
0003195980.tif 000005
【図４】
0003195980.tif 000006